(57)【要約】  【課題】  メモリー付きウオークインロック機構を備えたシートスライド装置を提供する。  【解決手段】  ラッチ解除用ロッド４０をメモリー部解除レバー２４で押し上げてスライドのロックを解除する。蹴倒し用プレート２５がメモリー部解除レバー２４をピン２３を介して保持し、スライドのロック解除状態を保持する。ロアレール１側には、切欠部８を設けたポジションメモリー用部品４を固定し、切欠部８と係脱可能なメモリープレート１２を備えたメモリーベース９を係合させ、ウオークイン作動時に、シートのスライドに連動させず残留させる。ロック復帰時には、シートが後方移動したとき、残留したメモリーベース９と、蹴倒しプレート２５が接触・回転し、蹴倒しプレート２５がメモリー部解除レバー２４の保持を開放することにより、作動前の位置で再びスライドがロックする。  【選択図】  図２
2006281814.tif 000002
【特許請求の範囲】
【請求項１】
ポジションメモリー用部品を内底部に固定したロアレールにスライド可能に係合するアッパレールに、シートバックの動きに連動するウオークインケーブルを連結するメモリー部解除レバーと、このメモリー部解除レバーと連動する蹴倒し用プレートとをそれぞれ回動自在に支持し、前記メモリー部解除レバーが接離可能にスライドロック機構のラッチ解除用ロッドを延伸する一方、前記蹴倒し用プレートの揺動下端部に形成した係合部が当接するストッパー部を設けたメモリーベースを前記ポジションメモリー用部品にスライド可能に係合させ、該メモリーベースには前記蹴倒し用プレートの揺動下端部に形成した押圧部が当接するメモリープレートを回動自在に支持すると共に、該メモリープレートには前記ポジションメモリー用部品に形成した切欠部と係脱可能な係合爪をばねで回転付勢して支持してなることを特徴とするメモリー付きウオークインロック機構を備えたシートスライド装置。
【請求項２】
前記メモリー部解除レバー及び蹴倒し用プレートは、前記アッパレールの上部に回動可能に支持されて内方へ垂下し、前記ポジションメモリー用部品と対面する配置であることを特徴とする請求項１に記載のメモリー付きウオークインロック機構を備えたシートスライド装置。
【発明の詳細な説明】
【技術分野】
【０００１】
この発明は車両のシートスライド装置におけるメモリー機構に係り、特に乗員の後席への乗り降りの際、前席シートのシートバックの前倒しに連動してシートスライドのロックが解除し、シート全体が前進するウオークイン機構を装備したものに関する。
【背景技術】
【０００２】
メモリー付きウオークインロック機構を備えたシートスライド装置は、後席乗員が乗り降りする都度、前席乗員が設定していたシートの最適位置が変化しないように、既に設定した位置を機構的に記憶させるメモリー機構を備えたものであり、例えば、下記特許文献１にも開示されている。
【特許文献１】特開２００４−２４９８６２
【発明の開示】
【発明が解決しようとする課題】
【０００３】
従来のものは、ロックオン・オフの規制をする構造を取り、ロックレバーをロック解除位置に保持するオープン部材やキープ部材、及び、位置を記憶させるメモリ部材や係止部材を設けている。しかしながら、これらのメモリー構造を設けるために大きなスペースを必要とするため、従来は、これらのメモリー構造をロアレールの側部や上部に設けている。そのため、アッパレールやロアレールの周囲にメモリー構造を配置するスペースが必要となり、使用できるレイアウトが限定される。特に、最近はロアレールをフロアに埋設したり、シートクッションとフロアの間が狭い場合などには使用できないという不都合がある。
【０００４】
そこで、この発明は、上記不都合を解決し得るメモリー付きウオークインロック機構を備えたシートスライド装置を提供する。
【課題を解決するための手段】
【０００５】
そこで、上記目的を達成するため、本発明は、ポジションメモリー用部品を内底部に固定したロアレールにスライド可能に係合するアッパレールに、シートバックの動きに連動するウオークインケーブルを連結するメモリー部解除レバーと、このメモリー部解除レバーと連動する蹴倒し用プレートとをそれぞれ回動自在に支持し、前記メモリー部解除レバーが接離可能にスライドロック機構のラッチ解除用ロッドを延伸する一方、前記蹴倒し用プレートの揺動下端部に形成した係合部が当接するストッパー部を設けたメモリーベースを前記ポジションメモリー用部品にスライド可能に係合させ、該メモリーベースには前記蹴倒し用プレートの揺動下端部に形成した押圧部が当接するメモリープレートを回動自在に支持すると共に、該メモリープレートには前記ポジションメモリー用部品に形成した切欠部と係脱可能な係合爪をばねで回転付勢して支持してなることを特徴とするメモリー付きウオークインロック機構を備えたシートスライド装置を構成した。
また、請求項２に記載したように、前記メモリー部解除レバー及び蹴倒し用プレートは、前記アッパレールの上部に回動可能に支持されて内方へ垂下し、前記ポジションメモリー用部品と対面する配置であることを特徴とする請求項１に記載のメモリー付きウオークインロック機構を備えたシートスライド装置を構成した。
【発明の効果】
【０００６】
メモリー機構を構成するポジションメモリー用部品とメモリープレートを有するメモリーベースをロアレールの内底部に設置できるため、ロアレールの外部に大きなスペースを必要としない。そのため、幅方向のスペースが狭いレイアウトにおいてもロック復帰位置記憶（フルメモリー）機構を搭載できる。しかも、主ロック機構と共にメモリー機構をアッパレール内に設けることにより、異物が干渉して誤作動する惧れがない。
【発明を実施するための最良の形態】
【０００７】
この発明を図示の実施例に基づき説明する。図１はこの発明を実施したシートスライド装置の平面図、図２はその中央縦断面側面図、図３はこの発明の要部であるメモリーユニットの断面正面図であり、車体側に固定するロアレール１に、シート側に固定するアッパレール２がスライド部材３を介在して長手方向で前後両方向へ移動可能に係合している。
【０００８】
ロアレール１は、断面が上向きの略コ字状を有し、その両端部には、内向きで内方に屈曲した下向屈曲部を有する。アッパレール２は、断面が下向きの略コ字状を有し、その両端部には、外向きで外方に屈曲した上向屈曲部を有する。スライド部材３は、ロアレール１とアッパレール２の間で転動する複数のスライドボールとこのスライドボールを位置決めするリテーナよりなる。
【０００９】
ロアレール１の内底部には長手方向へポジションメモリー用部品４が固定されている。ロアレール１の下向屈曲部には、図４に示すように、シートの位置を固定するための主ロック用穴５が定ピッチで長手方向に設けられ、アッパレール２の内部に長手方向の軸線回りに回動可能に支持されたラッチ解除用ロッド４０に設けた主ロック用爪６が内方からアッパレール２に設けたロック用孔を貫通して出入り可能に設けられてスライドロック機構が構成される。ラッチ解除用ロッド４０は、両端部がクランク型を有しアッパレール２にリベット４１で固定したブラケット４５に、クランク型をした両端部間において軸中心で回転自在に支持されるとともに、主ロック用爪６が主ロック用穴５に係合するように、ばね４６でロック方向に回転付勢されている。なお、このラッチ解除用ロッド４０の一端部はメモリーユニット側へ延伸すると共に、他端部はシートの前部下側方向へ延伸し、アッパレール２の上部にリベット４１で固定したブラケット４３に回動可能に支持した操作部材４７に設けた作動部４８により回転操作される。なお、操作部材４７は操作ハンドル４３が接続されて上方に持ち上げることで操作部材４７を操作する。
【００１０】
ポジションメモリー用部品４は、図５に示すように、定ピッチで爪部７と切欠部８とが交互に形成された長尺板金からなり、爪部７は幅方向で互いに内向きに対面する断面コ字型をしている。このポジションメモリー用部品４には、メモリーベース９が長手方向へスライド可能に係合している。メモリーベース９は、図６に示すように、ポジションメモリー用部品４の爪部７を嵌合する溝１０が両側面に形成された方形の、平面視コ字型のブロックからなり、その内部に、メモリープレート１２がシーソー状態で揺動可能に係合し、かつ、ばね１３でこのメモリープレート１２に設けた係合爪１５が切欠部８と係合する方向へ回転付勢され、また、車体前方側の前面に所要高さで突出するストッパー部１１が形成されている。メモリープレート１２は車体前方側の揺動側一端部に突起部１４が形成され、また、揺動側他端部には前記切欠部８に係脱するように上下動する両翼状の係合爪１５が形成されている。
したがって、メモリーベース９は、メモリープレート１２の突起部１４側にロアレール１側へ押す力が加わらないときは、メモリープレート１２がばね１３で回転付勢されてその係合爪１５が爪部７間の切欠部８内に入り込もので、ポジションメモリー用部品４の長手方向へ移動することは出来ない。しかし、突起部１４側にばね１３の付勢力に抗する押圧力が加わると、係合爪１５は切欠部８から爪部７の上方へ脱出するので、メモリーベース９はポジションメモリー用部品４の長手方向へ移動することが出来る。
【００１１】
また、アッパレール２の上面で前記スライドロック機構の後部側には、メモリーブラケット１６がリベット１７，４１で固定され、このメモリーブラケット１６に軸１８，１９でそれぞれ回転自在に支持されるメモリー部解除レバー２４と蹴倒し用プレート２５が、メモリーブラケット１６に形成した上向きの開口部２０と、これと合致してアッパレール２の上面に開設された開口部２１からアッパレール２内に垂下して揺動可能に支持されている。メモリー部解除レバー２４は、その揺動上端部に図示しないシートバックの前倒しにより引かれるウオークインケーブル２７のワイヤエンド２８を係合するピン２３が突設され、このピン２３と軸１８間で側部には係止部２９が形成されている。また、揺動下端部は前記ラッチ解除用ロッド４０のクランク状の一端部側に当接してそのラッチ解除用ロッド４０をその軸中心で回動させることができるように曲げ形成してある。
【００１２】
蹴倒し用プレート２５は、その揺動上端部側に前記ピン２３が摺接するカム部２６が形成され、また、その揺動下端部側は二つに分かれて略Ｖ字状に形成され、その前側に位置する係合部３２は前記メモリーベース９のストッパー部１１に当接可能に、また、後側の押圧部３３はメモリープレート１２の突起部１４の側部上面に当接可能である。そして、この蹴倒し用プレート２５には、軸１９の下部で係止部３４が形成され、この係止部３４とメモリー部解除レバー２４の係止部２９との間にはメモリーばね３５が連結されている。したがって、ウオークインケーブル２７が図２中矢示方向へ引かれると、メモリー部解除レバー２４は軸１８を中心として時計回りに回動し、ピン２３がカム部２６から外れることでメモリーばね３５の力により蹴倒し用プレート２５が軸１９を中心として反時計回りに回動することができる。
【００１３】
ところで、メモリーオフの状態では、メモリー部解除レバー２４と蹴倒し用プレート２５は、図２に示す状態にあり、蹴倒し用プレート２５の押圧部３３はメモリープレート１２の突起部１４の側部上面に当接していて、メモリープレート１２の係合爪１５が切欠部８から爪部７の上方へ脱出している。また、この押圧部３３の先端はメモリーベース９の上面及びメモリープレート１２の軸より内方に入っている。したがって、メモリーベース９は、蹴倒し用プレート２５を介してメモリーブラケット１６と連結されてアッパレール２と一体化し、アッパレール２が移動するとポジションメモリー用部品も長手方向へ移動する。
【００１４】
そこで、図７に示すように、シートバックを倒す等の動きに連動してウオークインケーブル２７が矢示方向へ引かれると、メモリー部解除レバー２４が軸１８を中心として時計回りに回動し、同時にその揺動下端部がラッチ解除用ロッド４０を回動させて主ロック用爪６を主ロック用穴７から外すとともに、ピン２３がカム部２６からはずれることでメモリーばね３５の力により、蹴倒し用プレート２５が軸１９を中心として時計回りに回動する。そして、ピン２３が蹴倒し用プレート２５のカム部２６の端面に係合することでメモリー部解除レバー２４を保持され、スライドのロック解除状態を保持する。蹴倒し用プレート２５の押圧部３３は前記メモリープレート１２の突起部１４の側面から離れ、同時に、係合部３２は端面がストッパー部１１と平行に対向する位置に回動する。
【００１５】
そのため、メモリープレート１２はばね１３の力で回転してその係合爪１５が爪部７間の切欠部８内に入り込むので、メモリーベース９は、ポジションメモリー用部品４の長手方向へ移動することは出来ず、その位置でメモリーオンが達成される。そこで、図８に示すように、アッパレール２は図示しないウオークインスプリングによって前方側へ移動するため、シートは車体前方側へ移動し、後席乗員は乗り降りができることとなる。
【００１６】
後席乗員が乗り降りした後、シートバックを引き起こし、シートを元の状態に戻すべく、シートを後退させると、図９に示すように、蹴倒し用プレート２５の係合部３２がメモリーベース９のストッパー部１１に当接することで蹴倒し用プレート２５は軸１９を中心として時計回りに回動する。これにより、ピン２３がカム部２６の端面から外れるまで蹴倒し用プレート２５が時計方向に回転する。このとき、押圧部３３は係合爪１５が切欠部８から外れるまでメモリープレート１２を押していない。そして、ピン２３がカム部２６の端面からはずれることで、メモリーばね３５の力によりメモリー部解除レバー２４が軸１８を中心として反時計回りに回動し、メモリー部解除レバー２４の揺動下端部がラッチ解除用ロッド４０から外れるとともに、カム部２６のカム作用により蹴倒しプレート２５を更に回動して押圧部３３がメモリープレート１２を係合爪１５が切欠部８から外れることにより、作動前の位置で再びスライドがロックするとともに、メモリー機構がメモリーオフの状態に戻る。すなわち、ラッチ解除用ロッド４０は付勢されたばね４６の力により軸中心で回動して元の状態に復帰し、主ロック用爪６が主ロック用穴７に進入し、アッパレール２はロアレール１に元位置でロック固定される。
なお、前席乗員が交代等で変わる場合には、スライドロック機構の操作ハンドル４３を回転操作して主ロック用爪６を主ロック用穴５から外してシートを適宜に前後させると、メモリーベース９はメモリーベース９とメモリープレート１２の間に挟まるようになっているため、蹴倒し用プレート２５に押されて一体で移動する。したがって、メモリーベース９は、メモリープレート１２と蹴倒し用プレート２５を介してメモリーブラケット２１と連結されアッパレール２と一体化して（図２参照）、ポジションメモリー用部品４の長手方向へ移動することが出来るために、交替する乗員の任意の位置に移動できて、新しいポジションを設定できることになる。
【図面の簡単な説明】
【００１７】
【図１】この発明を実施したシートスライド装置のアッパレールとロアレールを示す平面図である。
【図２】図１の中央縦断側面図である。
【図３】メモリーユニットの縦断面図である。
【図４】主ロック爪を供えたスライドロック機構部の縦断面図である。
【図５】ポジションメモリー用部品の斜視図である。
【図６】メモリーベースとメモリープレートの斜視図である。
【図７】図２のメモリーオフ状態からメモリーオン状態に移るメモリーユニットの作用説明図である。
【図８】メモリーオン状態におけるメモリーユニットの作用説明図である。
【図９】ロック復帰時におけるメモリーユニットの作用説明図である。
【符号の説明】
【００１８】
１…ロアレール
２…アッパレール
３…スライド部材
４…ポジションメモリー用部品
５…主ロック用穴
６…主ロック用爪
７…爪部
８…切欠部
９…メモリーベース
１０…溝
１１…ストッパー部
１２…メモリープレート
１３…ばね
１４…突起部
１５…係合爪
１６…メモリーブラケット
１８，１９…軸
２０，２１…開口部
２３…ピン
２４…メモリー部解除レバー
２５…蹴倒し用プレート
２６…カム部
２７…ウオークインケーブル
２８…ワイヤエンド
３１，３４…係止部
３２…係合部
３３…押圧部
３５…メモリーばね
【図１】
2006281814.tif 000003
【図２】
2006281814.tif 000004
【図３】
2006281814.tif 000005
【図４】
2006281814.tif 000006
【図５】
2006281814.tif 000007
【図６】
2006281814.tif 000008
【図７】
2006281814.tif 000009
【図８】
2006281814.tif 000010
【図９】
2006281814.tif 000011